(57)【特許請求の範囲】
【請求項１】
情報を更新可能に記憶する半導体メモリと、半導体メモリに対して情報を無線送受するためのカード側アンテナとを内蔵したＩＣカードを使用してカード決済を行うためのＩＣカード決済端末であって、
ＩＣカードに対して非接触に情報を読み書きするカードリーダ／ライタと、前記カードリーダ／ライタを収容する筐体とを有し、
前記カードリーダ／ライタは、カード側アンテナとの間で情報を無線送受するためのアンテナを含み、
前記筐体の上部には、前記アンテナを覆蓋するタッチ面が形成されていると共に、該タッチ面に対して該筐体の奥行方向手前かつ該筐体の高さ方向下方にユーザーインターフェースとしてのピンパッドが設けられているＩＣカード決済端末において、
前記筐体には、前記ピンパッドの両側に該ピンパッドの操作を第三者に対して隠す対のカザシが立設され、該対のカザシはそれぞれ、前記タッチ面の最高部と同じ高さの上縁部を備え、
レシートへの記入の際にレシートを支持する下敷を前記筐体と個別にさらに有し、該下敷は、前記筐体の前記タッチ面の前記最高部と前記対のカザシの前記上縁部との離間距離以上の長手方向の寸法を持ち、
前記タッチ面の前記最高部と前記対のカザシの前記上縁部とは協働して、レシートへの記入の際にのみ前記筐体の前記奥行方向に前記長手方向が沿うように置かれる前記下敷を支持することを特徴とするＩＣカード決済端末。
【請求項２】
前記タッチ面には、その上に前記下敷が置かれる際の該下敷用の滑り止めが施され、該滑り止めの上端が該タッチ面の前記最高部である請求項１に記載のＩＣカード決済端末。
【請求項３】
前記下敷用の滑り止めは、弾性を有する材質から成り、前記タッチ面から突出するように設けられた突起である請求項２に記載のＩＣカード決済端末。
【請求項４】
弾性を有する材質から成り、前記タッチ面の全面に形成され、ＩＣカードが該タッチ面に接触する際の衝撃を吸収するＩＣカード用のクッション層を有し、該ＩＣカード用のクッション層の表面が該タッチ面の前記最高部であり、
前記ＩＣカード用のクッション層は、前記下敷用の滑り止めとしても機能する請求項２に記載のＩＣカード決済端末。
【請求項５】
請求項１乃至４のいずれか１つに記載の前記ＩＣカード決済端末を有することを特徴とするＰＯＳシステム。
【発明の詳細な説明】
【技術分野】
【０００１】
本発明は、情報を更新可能に記憶する半導体メモリと、半導体メモリに対して情報を無線送受するためのカード側アンテナとを内蔵したＩＣ（Integrated Circuit）カードを使用してカード決済を行うためのＩＣカード決済端末に関する。
【背景技術】
【０００２】
一般に、この種のＩＣカード決済端末は、ＩＣカードに対して非接触に情報を読み書きするカードリーダ／ライタと、カードリーダ／ライタを収容する筐体とを有している。カードリーダ／ライタは、カード側アンテナとの間で情報を無線送受するためのアンテナを含んでいる。筐体の上部には、アンテナを覆蓋するタッチ面が形成されている。
【０００３】
顧客が買い物の代金をＩＣクレジットカードで支払う手順は、おおむね、次のとおりである。購入商品またはサービスを決めた顧客がＩＣカード決済端末の筐体の上部に形成されたタッチ面にＩＣクレジットカードをあてがうか、少なくとも、所定距離まで接近させると共に、必要に応じてＩＣカード決済端末に備えられたピンパッドと呼ばれるテンキーを用いて暗証番号を入力すると、ＩＣクレジットカードの半導体メモリに記憶された情報に基づき、ネットワークを介して接続されたカード会社の決済システムにおいてカード照会がなされる。カード会社によって認証がなされると、ＩＣクレジットカードの半導体メモリに記憶された情報が更新される。これと共に、必要に応じて、ＩＣカード決済端末等に搭載されたプリンタによって当該決済のレシートが発行される。
【０００４】
一方、顧客が買い物の代金を磁気記録層に情報が記録された磁気式クレジットカードで支払う手順は、おおむね、次のとおりである。購入商品またはサービスを決めた顧客が支払いカウンタ上のＰＯＳ（Point Of Sales）端末に搭載されるなどした磁気カードリーダによって磁気式クレジットカードを読み込ませると、磁気式クレジットカードに記憶された情報に基づき、ネットワークを介して接続されたカード会社の決済システムにおいてカード照会がなされる。カード会社によって認証がなされると、ＰＯＳ端末に搭載されるなどしたプリンタによって当該決済のレシートが発行される。顧客は、そのレシートに手書きでサインをし、支払い手順が終了する。
【０００５】
カード決済端末の類として、特許文献１には、クレジットカードから情報を読み取るカード読取部を搭載した可搬タイプのカード決済端末が開示されている。尚、特許文献１において具体的に開示されてはいないが、この端末のカード読取部は、端末の筐体に形成されたスリット内でクレジットカードをスライドさせることにより、磁気式クレジットカードに磁気的に記録されている情報を、スリット内に配置された磁気ヘッドによって磁気的に読み取るものであると考えられる。
【０００６】
【特許文献１】特開２００１−２５０１６５号公報
【発明の開示】
【発明が解決しようとする課題】
【０００７】
前述のごとく磁気式クレジットカードを用いた決済の最後に、顧客がレシートにサインをするためには、レシートを平坦に支持すると共に、ペン書きで動く顧客の手の余地を含むスペースを有するテーブルの類が必要である。以前は、そのスペースが支払いカウンタの顧客の手が届きやすい手前側に確保されていた。
【０００８】
ところが、近年、電子マネーやＩＣクレジットカード等のＩＣカードの普及により、店舗の支払いカウンタ上には、磁気カードリーダを搭載したＰＯＳ端末やＩＣカード決済端末をはじめとして、比較的多数の電子機器が置かれている。特に、ＩＣカード決済端末は、顧客が端末筐体のタッチ面にＩＣクレジットカードをあてがってもらう必要から、通常、支払いカウンタの手前側に設置されている。しかも、ＩＣカード決済端末は、そのタッチ面がＩＣクレジットカードのあてがい易さの理由で通常は水平に形成されているため、底面積が比較的大きく、占有スペースが大きい。このため、顧客がレシートにサインをするためのスペースを十分に確保できないという実情にある。
【０００９】
尚、ＩＣカード決済端末の筐体にレシートのサインに必要な面積を有する台状の部位を形成することによってサインはできるようになる。しかし、この場合には、端末の筐体を従前よりも大型化せざるを得ず、結局は、大型化したＩＣカード決済端末によって支払いカウンタ上のスペースが今まで以上に占有されることになり、抜本的解決とはならない。
【００１０】
それ故、本発明の課題は、支払いカウンタ上での占有スペースをいたずらに大きくすることなく、レシートへのサインを行えるようにしたＩＣカード決済端末を提供することである。
【００１１】
本発明の他の課題は、そのようなＩＣカード決済端末を有するＰＯＳシステムを提供することである。
【課題を解決するための手段】
【００１２】
本発明によれば、情報を更新可能に記憶する半導体メモリと、半導体メモリに対して情報を無線送受するためのカード側アンテナとを内蔵したＩＣカードを使用してカード決済を行うためのＩＣカード決済端末であって、ＩＣカードに対して非接触に情報を読み書きするカードリーダ／ライタと、前記カードリーダ／ライタを収容する筐体とを有し、前記カードリーダ／ライタは、カード側アンテナとの間で情報を無線送受するためのアンテナを含み、前記筐体の上部には、前記アンテナを覆蓋するタッチ面が形成されているＩＣカード決済端末において、レシートへの記入の際にレシートを支持する下敷をさらに有し、前記タッチ面は、前記下敷を支持するように構成されていることを特徴とするＩＣカード決済端末が得られる。
【００１３】
前記タッチ面には、前記下敷の滑り止めが施されていてもよい。この場合、前記滑り止めは、弾性を有する材質から成り、前記タッチ面から突出するように設けられた突起であってもよい。あるいは、弾性を有する材質から成り、前記タッチ面の全面に形成され、ＩＣカードが該タッチ面に接触する際の衝撃を吸収するクッション層を有し、前記クッション層が前記滑り止めとしても機能するようにしてもよい。
【００１４】
また、前記筐体には、ユーザーインターフェースとしてのピンパッドと、前記ピンパッドの操作を第三者に対して隠すカザシとがさらに設けられており、前記カザシは、前記タッチ面と協働して前記下敷を支持するものであってもよい。
【００１５】
本発明によればまた、前記ＩＣカード決済端末を有することを特徴とするＰＯＳシステムが得られる。
【発明の効果】
【００１６】
本発明によるＩＣカード決済端末は、支払いカウンタ上での占有スペースをいたずらに大きくすることなく、レシートへのサインを行えるようにできる。
【００１７】
また、ＩＣカードのタッチ面に下敷の滑り止めを施した場合には、下敷が滑らず安定する。
【００１８】
さらに、ＩＣカードのタッチ面にＩＣカードの滑り止め及び衝撃の緩和のための弾性層が形成されている場合には、この弾性層が下敷の滑り止めとしての効果も兼ねることが可能である。
【発明を実施するための最良の形態】
【００１９】
以下、図面を参照して、本発明によるＩＣカード決済端末の一実施形態を説明する。
【００２０】
本発明によるＩＣカード決済端末は、店舗の支払いカウンタ等に設置され、ＩＣカードを使用してカード決済を行うための機器である。ＩＣカードは、図示はしないが、情報を更新可能に記憶する半導体メモリと、半導体メモリに対して情報を無線送受するためのカード側アンテナとを内蔵している。
【００２１】
図１（ａ）を参照すると、本ＩＣカード決済端末は、ＩＣカードに対して非接触に情報を読み書きするカードリーダ／ライタ（図示せず）と、カードリーダ／ライタを収容する筐体１０とを有している。カードリーダ／ライタは、カード側アンテナとの間で情報を無線送受するためのアンテナを含んでいる。一方、筐体１０の上部には、アンテナを覆蓋するタッチ面１１が形成されている。
【００２２】
さらに、筐体１０には、ユーザーインターフェースとして、顧客に対して操作ガイダンスやカード残額等の各種情報を顧客に表示するディスプレイ３０と、顧客が暗証番号等を入力するためのピンパッド４０とが設けられている。
【００２３】
ＩＣカード決済端末はさらに、半導体メモリと半導体メモリに対して情報を入出力するための平面端子が搭載された接触式ＩＣクレジットカードに対し、情報を読み書きするカードリーダ／ライタ（図示せず）をも有している。この接触式のカードリーダ／ライタは、接触式ＩＣカードの平面端子に接触して情報を入出力するための端子を含んでいる。この端子は、筐体１０のタッチ面１１とディスプレイ３０との間に形成された接触式カードスロット１２の内部に設けられている。接触式のＩＣクレジットカードは、比較的高額の決済に用いられることが多い。
【００２４】
図１（ａ）および（ｂ）、図２、ならびに図３を参照すると、本ＩＣカード決済端末は、同じ支払いカウンタ上に設置されるＰＯＳ端末（図示せず）等に搭載されたプリンタによって発行される磁気式クレジットカード決済のレシート１００に顧客がサインする際にレシート１００を支持する下敷２０をさらに有している。そして、タッチ面１１は、下敷２０を支持するように構成されている。
【００２５】
タッチ面１１には、下敷２０の滑り止めが施されていることが好ましい。この滑り止めは、例えば、合成ゴム等の弾性を有する材質から成り、タッチ面１１の四隅付近から突出するように設けられた突起６１である。
【００２６】
あるいは、突起６１とは異なる滑り止めとすることも可能である。一般に、非接触式のＩＣカード決済端末においては、その筐体のタッチ面の全面に、合成ゴム等の弾性を有する材質から成り、ＩＣカードがタッチ面に接触する際の衝撃を吸収するクッション層が設けられることがある。その場合には、クッション層を下敷の滑り止めとしてもよい。
【００２７】
もしくは、筐体と下敷との間に凹凸形状の係合関係を施すことなどによって、下敷の滑り止めがなされてもよい。また、本実施形態において、下敷２０はＩＣカード決済端末の筐体１０と別体であるが、下敷は、使用時にのみタッチ面によって支持されるようにヒンジを介して筐体に可動的に取り付けられていてもよい。この場合、ヒンジが滑り止めとして機能する。
【００２８】
さらに、筐体１０には、顧客の暗証番号等が盗み見られぬように、ピンパッド４０の操作を第三者に対して隠すための左右に対のカザシ５１と、真ん中のカザシ５２とが設けられている。特に、対のカザシ５１は、その手前の上縁５１ｅが、図３から明らかなようにタッチ面１１（突起６１）と同じ高さになっている。このため、対のカザシ５１が、タッチ面１１（突起６１）と協働して下敷２０を支持することになる。よって、図１（ｂ）に示されたごとく比較的長く広い面積の下敷２０であっても、水平に安定して支持される。
【００２９】
次に、本ＩＣカード決済端末の動作を、顧客が買い物の代金をＩＣクレジットカードで支払う場合と、磁気式クレジットカードで支払う場合とを例に説明する。
【００３０】
ＩＣクレジットカードが用いられる場合、購入商品またはサービスを決めた顧客は、ＩＣカード決済端末の筐体１０に形成されたタッチ面１１に、所有するＩＣクレジットカードをあてがうか、少なくとも、所定距離まで接近させる。これと共に、必要に応じて、顧客は、ＩＣカード決済端末に備えられたディスプレイ３０に表示されるガイダンスに従い、ピンパッド４０を用いて暗証番号を入力する。
【００３１】
ＩＣクレジットカードの半導体メモリに記憶された情報が、ネットワークを介してカード会社の決済システムに送信される。
【００３２】
カード会社の決済システムにおいては、カード情報に基づいて、カード照会を行う。
【００３３】
カード会社によって認証がなされると、ＩＣクレジットカードの半導体メモリに記憶された情報が更新され、支払い手順が終了する。また、必要に応じて、カード決済端末かＰＯＳ端末等に搭載されたプリンタにより、当該決済のレシートが発行される。
【００３４】
尚、ＩＣクレジットカードによる決済の際は、通常、レシートへのサインは不要である。このため、下敷２０は、ＩＣカード決済端末の近傍に立てるなどして置かれている。
【００３５】
一方、磁気式クレジットカードが用いられる場合、購入商品またはサービスを決めた顧客は、図示しないＰＯＳ端末に搭載された磁気カードリーダに、所有する磁気式クレジットカードを読み取らせる。磁気式クレジットカードに磁気的に記録された情報が、ネットワークを介してカード会社の決済システムに送信される。カード会社の決済システムにおいては、カード情報に基づいて、カード照会を行う。カード会社によって認証がなされると、ＰＯＳ端末等に搭載されたプリンタにより、当該決済のレシート１００が発行される。
【００３６】
顧客または店員は、ＩＣカード決済端末の近傍に立てかけるなどして置かれている下敷２０のクリップ部にレシート１００を挟み、それをＩＣカード決済端末のタッチ面１１（突起６１）ならびにカザシ５１（上縁５１ｅ）に亘るように載置する。そして、下敷２０上のレシート１００に手書きでサインをし、レシート１００が回収され、支払い手順が終了する。
【００３７】
その後、顧客または店員は、下敷２０を、ＩＣカード決済端末の近傍に戻しておく。
【００３８】
尚、本実施形態においてはＩＣクレジットカードを例に挙げたが、本ＩＣカード決済端末は、携帯電話機等のクレジット機能付きの電子機器全般に対して決済情報を読み書きすることができる。
【００３９】
また、本ＩＣカード決済端末は、ＰＯＳシステムの一端末として用いられてもよい。この場合、ＩＣカード決済端末を用いてなされたカード決済情報がＰＯＳシステムに取り込まれ、利用される。
【産業上の利用可能性】
【００４０】
以上説明した実施例に限定されることなく、本発明は、当該特許請求の範囲に記載された技術範囲内であれば、種々の変形が可能であることは云うまでもない。例えば、本発明は、無線式に限らず、光学式など、非接触式リーダ／ライタならびにタッチ面を備えた筐体を有するＩＣカード決済端末全般への適用が可能である。
【図面の簡単な説明】
【００４１】
【図１】本発明の実施の形態によるＩＣカード決済端末を示す斜視図であり、（ａ）は筐体を、（ｂ）は下敷を示す。
【図２】図１に示されたＩＣカード決済端末の筐体に下敷が載置された状態を示す斜視図である。
【図３】図１に示されたＩＣカード決済端末の側面図である。
【符号の説明】
【００４２】
１０    筐体
１１    タッチ面
１２    接触式カードスロット
２０    下敷
３０    ディスプレイ
４０    ピンパッド
５１、５２    カザシ
５１ｅ  上縁
６１    突起
１００    レシート
【図１】
0004697610.tif 000002
【図２】
0004697610.tif 000003
【図３】
0004697610.tif 000004